(57)【特許請求の範囲】
【請求項１】
超音波診断装置本体に設置された超音波探触子保持器であって、
上面開口有底の筒を複数並べた如き概略形状を有し、
前記各筒の超音波診断装置本体で塞がれていない方向の壁面には、超音波探触子のケーブルを通過させうる幅のスリットが設けられ、
前記各筒の底面には、超音波探触子のケーブル側端部を差込み可能な保持孔と、超音波探触子のケーブルを通過させうる幅で前記保持孔から前記スリットまで連続する導入溝と、超音波探触子のケーブルを通過させうる幅で前記保持孔から前記導入溝の方向と異なる方向に延設された収容溝とが設けられ、
前記各筒に保持された超音波探触子より上方であって、前記各筒における上面開口の鉛直上方の所定高さに超音波探触子のケーブルの一部を保持するケーブル掛けが設けられた超音波探触子保持器と、
超音波診断装置本体に設置され、複数の超音波探触子のケーブルを個別に分けて超音波診断装置本体に対して一定位置に保持するケーブル保持器とを具備し、
前記超音波探触子保持器に保持された超音波探触子のケーブルは、前記ケーブル掛けに掛けられ、前記ケーブル保持器で保持されて、ケーブルの一端にあるコネクタが超音波診断装置本体に接続されたことを特徴とする超音波診断装置。
【請求項２】
請求項１に記載の超音波診断装置において、
前記保持孔に差し込まれた超音波探触子のケーブルは、上方に曲げられ前記収容溝を通って前記ケーブル掛けに掛けられ、そして下方に曲げられ前記収容溝を通って前記ケーブル保持器に導かれることを特徴とする超音波診断装置。
【請求項３】
請求項１又は請求項２に記載の超音波診断装置において、
前記ケーブル掛けは、超音波探触子保持器における超音波診断装置本体に設置されている側面側の上面に支柱が設けられ、その支柱から前記超音波探触子のケーブルを掛ける部分が延びていることを特徴とする超音波診断装置。
【請求項４】
請求項１から請求項３までのいずれかに記載の超音波診断装置において、
前記ケーブル保持器は、
ヒンジで開閉可能に連結された下板と上板とを有しており、
前記下板に設けられた掛止突起が前記上板に設けられた掛止孔を貫通することにより前記下板と前記上板とが閉じて保持され、
前記下板及び前記上板には対になる複数の湾曲部を有しており、
前記下板と前記上板とが閉じた状態で前記下板及び前記上板のそれぞれの複数の湾曲部が対になって複数の超音波探触子のケーブルが貫通する保持部が形成されることを特徴とする超音波診断装置。
【発明の詳細な説明】
【０００１】
【発明の属する技術分野】
本発明は、超音波探触子保持装置および超音波診断装置に関し、さらに詳しくは、ケーブル同士が絡まないように複数の超音波探触子を保持できる超音波探触子保持装置および超音波診断装置に関する。
【０００２】
【従来の技術】
図１４は、従来の超音波診断装置の一例の右側面図である。
この超音波診断装置５０は、超音波診断装置本体１１と、３個の超音波探触子Ｐ１，Ｐ２，Ｐ３と、前記超音波診断装置本体１１の右側面に設置された超音波探触子保持装置５００とを具備している。
【０００３】
図１５は、上記超音波診断装置５０の正面図である。
超音波探触子Ｐ１，Ｐ２，Ｐ３のコネクタＣ１，Ｃ２，Ｃ３は、超音波診断装置本体５０に接続されている。
【０００４】
図１６に示すように、超音波探触子保持装置５００は、上面開口有底の筒Ｔ１，Ｔ２，Ｔ３を３個並べた如き概略形状をしている。
超音波探触子保持装置５００の各筒Ｔ１，Ｔ２，Ｔ３の前壁面には、超音波探触子Ｐ１，Ｐ２，Ｐ３のケーブルＫ１，Ｋ２，Ｋ３を通過させうる幅のスリット１０１がそれぞれ設けられている。
また、図１７に示すように、超音波探触子保持装置５００の底面５１０には、超音波探触子Ｐ１，Ｐ２，Ｐ３のケーブル側端部を差込み可能な保持孔１１３と、超音波探触子Ｐ１，Ｐ２，Ｐ３のケーブルＫ１，Ｋ２，Ｋ３を通過させうる幅で前記保持孔１１３から前記スリット１０１まで連続する導入溝１１２とが、それぞれ設けられている。
【０００５】
図１４に戻り、各超音波探触子Ｐ１，Ｐ２，Ｐ３は、各ケーブルＫ１，Ｋ２，Ｋ３を前記超音波探触子保持装置５００の各スリット１０１に通過させて、各筒Ｔ１，Ｔ２，Ｔ３にそれぞれ入れられ、超音波探触子Ｐ１，Ｐ２，Ｐ３のケーブル側端部を底面５１０の各保持孔１１３に差し込んだ状態で、保持されている。
【０００６】
【発明が解決しようとする課題】
上記従来の超音波診断装置５０では、超音波探触子保持装置５００の各筒Ｔ１，Ｔ２，Ｔ３から超音波探触子Ｐ１，Ｐ２，Ｐ３を取り出してしまうと、各筒Ｔ１，Ｔ２，Ｔ３と超音波探触子Ｐ１，Ｐ２，Ｐ３の対応が全く消失し、超音波探触子Ｐ１，Ｐ２，Ｐ３を各筒Ｔ１，Ｔ２，Ｔ３に戻す時、任意の対応で戻すことが出来た。
しかし、超音波探触子Ｐ１，Ｐ２，Ｐ３を任意の対応で各筒Ｔ１，Ｔ２，Ｔ３に戻すことを繰り返していると、図１８に示すように、各ケーブルＫ１，Ｋ２，Ｋ３が絡まってしまう問題点があった。
そこで、本発明の目的は、ケーブル同士が絡まないように複数の超音波探触子を保持できる超音波探触子保持装置および超音波診断装置を提供することにある。
【０００７】
【課題を解決するための手段】
第１の観点では、本発明は、超音波診断装置本体に設置され、上面開口有底の筒を複数並べた如き概略形状を有し、前記各筒の超音波診断装置本体で塞がれていない方向の壁面には、超音波探触子のケーブルを通過させうる幅のスリットがそれぞれ設けられ、前記各筒の底面には、超音波探触子のケーブル側端部を差込み可能な保持孔と、超音波探触子のケーブルを通過させうる幅で前記保持孔から前記スリットまで連続する導入溝と、超音波探触子のケーブルを通過させうる幅で前記保持孔から前記導入溝の方向と異なる方向に延設された収容溝とがそれぞれ設けられていることを特徴とする超音波探触子保持装置を提供する。
上記第１の観点による超音波探触子保持装置では、各筒の底面に、導入溝とは別に収容溝を設けている。操作者は、各筒に超音波探触子を入れる時、超音波探触子のケーブルを導入溝から保持孔を経て収容溝に押し込み、次いで超音波探触子のケーブル側端部を保持孔に差し込んで、各筒に超音波探触子を保持させる。このように、各筒に超音波探触子を入れる時、超音波探触子のケーブルを収容溝に押し込む操作をさせることから、超音波探触子のケーブル同士が絡まないように自然に気を付けさせることができる。よって、結果的に、ケーブル同士が絡まないように複数の超音波探触子を保持できることとなる。
なお、収容溝を鍵形にして超音波探触子のケーブルが収容溝から出にくいようにしておくと、各筒から超音波探触子を取り出しても、超音波探触子のケーブルが収容溝に残るため、各筒と超音波探触子の対応を確認できるようになり、使い終わった超音波探触子を対応する筒に正確に戻せるようになる。よって、ケーブル同士が絡まないように複数の超音波探触子を保持できることとなる。
【０００８】
第２の観点では、本発明は、上記構成の超音波探触子保持装置において、前記各筒より上方の所定高さに超音波探触子のケーブルの一部を保持するケーブル掛けを設けたことを特徴とする超音波探触子保持装置を提供する。
上記第２の観点による超音波探触子保持装置では、ケーブル掛けによって超音波探触子のケーブルを吊り上げるから、ケーブルの垂れが短くなり、この点でもケーブル同士の絡みを防止できる。また、各筒から超音波探触子を取り出しても、超音波探触子のケーブルがケーブル掛けに残るため、各筒と超音波探触子の対応を確認できるようになり、使い終わった超音波探触子を対応する筒に正確に戻せるようになる。よって、ケーブル同士が絡まないように複数の超音波探触子を保持できることとなる。
【０００９】
第３の観点では、本発明は、超音波診断装置本体と、請求項１または請求項２に記載の超音波探触子保持装置とを具備したことを特徴とする超音波診断装置を提供する。
上記第３の観点による超音波診断装置では、上記第１の観点または第２の観点による超音波探触子保持装置を設置するため、超音波探触子のケーブル同士が絡まないように複数の超音波探触子を保持できる。これにより、超音波探触子の取り出しや入れ置きの動作をスムーズに行うことが出来る。また、超音波探触子のケーブルが絡んで引き出せなくなり、超音波探触子が被検体に届かなくなるといった事態を回避できる。また、超音波探触子のケーブルの絡みを解くための余分な作業をなくすことが出来る。
【００１０】
第４の観点では、本発明は、上記構成の超音波診断装置において、超音波診断装置本体に設置され、複数の超音波探触子のケーブルを個別に分けて超音波診断装置本体に対して一定位置に保持するケーブル保持器を具備したことを特徴とする超音波診断装置を提供する。
上記第４の観点による超音波診断装置では、ケーブル保持器によって複数の超音波探触子のケーブルを個別に分けて保持するから、この点でもケーブルが絡むことを防止できる。
【００１１】
【発明の実施の形態】
以下、図を参照して本発明の実施の形態を説明する。なお、これにより本発明が限定されるものではない。
【００１２】
−第１の実施形態−
図１は、本発明の第１の実施形態の超音波診断装置の右側面図である。
この超音波診断装置１０は、超音波診断装置本体１１と、３個の超音波探触子Ｐ１，Ｐ２，Ｐ３と、前記超音波診断装置本体１１の右側面に設置された超音波探触子保持装置１００と、前記超音波診断装置本体１１の正面に設置されたケーブル保持器２００とを具備している。
【００１３】
図２は、上記超音波診断装置１０の正面図である。
超音波探触子Ｐ１，Ｐ２，Ｐ３のコネクタＣ１，Ｃ２，Ｃ３は、超音波診断装置本体１０に接続されている。また、超音波探触子Ｐ１，Ｐ２，Ｐ３のケーブルＫ１，Ｋ２，Ｋ３は、前記ケーブル保持器２００に保持されている。
【００１４】
図３に示すように、前記超音波探触子保持装置１００は、上面開口有底の筒Ｔ１，Ｔ２，Ｔ３を３個並べた如き概略形状をしている。
超音波探触子保持装置１００の各筒Ｔ１，Ｔ２，Ｔ３の前壁面には、超音波探触子Ｐ１，Ｐ２，Ｐ３のケーブルＫ１，Ｋ２，Ｋ３を通過させうる幅のスリット１０１がそれぞれ設けられている。また、各筒Ｔ１，Ｔ２，Ｔ３の奥壁面には、前記各筒Ｔ１，Ｔ２，Ｔ３より上方の所定高さに超音波探触子Ｐ１，Ｐ２，Ｐ３のケーブルＫ１，Ｋ２，Ｋ３の一部を掛けるケーブルフック１２０が立設されている。
【００１５】
また、図４に示すように、超音波探触子保持装置１００の底面１１０には、超音波探触子Ｐ１，Ｐ２，Ｐ３のケーブル側端部を差込み可能な保持孔１１３と、超音波探触子Ｐ１，Ｐ２，Ｐ３のケーブルＫ１，Ｋ２，Ｋ３を通過させうる幅で前記保持孔１１３から前記スリット１０１まで連続する導入溝１１２と、超音波探触子Ｐ１，Ｐ２，Ｐ３のケーブルＫ１，Ｋ２，Ｋ３を通過させうる幅で前記保持孔１１３から奥方向に延設された収容溝１１４とが、それぞれ設けられている。
【００１６】
図５に示すように、前記ケーブル保持器２００は、ヒンジ２０５で開閉可能に連結された下板２０６と上板２０７とからなる。下板２０６は、前記超音波診断装置本体１１に固着される固着板２０６ａと、掛止突起２０６ｂとを有している。上板２０７は、操作者が指を掛ける指掛部２０７ｂと、前記掛止突起２０６ｂを弾性力で保持する掛止孔２０７ｂとを有している。
上板２０７を開いて超音波探触子Ｐ１，Ｐ２，Ｐ３のケーブルＫ１，Ｋ２，Ｋ３を下板２０６の各凹部２０１，２０２，２０３にそれぞれ載せてから、上板２０７を閉じると、超音波探触子Ｐ１，Ｐ２，Ｐ３のケーブルＫ１，Ｋ２，Ｋ３を個別に保持できる。
【００１７】
図６および図７は、超音波探触子Ｐ１を筒Ｔ１に入れた状態の説明図である。操作者は、超音波探触子Ｐ１を筒Ｔ１に入れる時、超音波探触子Ｐ１のケーブルＫ１をスリット１０１および導入溝１１２を通して保持孔１１３に入れ、さらに収容溝１１４に押し込み、ケーブルフック１２０に掛けてから下へ垂らす。そして、超音波探触子Ｐ１のケーブル側端部を保持孔１１４に差し込んで、筒Ｔ１に超音波探触子Ｐ１を保持させる。
なお、超音波探触子Ｐ２，Ｐ３を筒Ｔ２，Ｔ３に入れる時も同様である。
【００１８】
以上の超音波探触子保持装置１００および超音波診断装置１０によれば、次の効果が得られる。
(1) 各筒Ｔ１，Ｔ２，Ｔ３に超音波探触子Ｐ１，Ｐ２，Ｐ３を入れる時、ケーブルＫ１，Ｋ２，Ｋ３を収容溝１１４に押し込む操作をさせることから、ケーブルＫ１，Ｋ２，Ｋ３が絡まないように自然に操作者に気を付けさせることが出来る。
(2) ケーブルフック１２０によってケーブルＫ１，Ｋ２，Ｋ３を吊り上げるから、ケーブルＫ１，Ｋ２，Ｋ３の垂れが短くなり、ケーブル同士の絡みを防止できる。また、各筒Ｔ１，Ｔ２，Ｔ３から超音波探触子Ｐ１，Ｐ２，Ｐ３を取り出しても、ケーブルＫ１，Ｋ２，Ｋ３がケーブルフック１２０にそれぞれ残るため、各筒Ｔ１，Ｔ２，Ｔ３と超音波探触子Ｐ１，Ｐ２，Ｐ３の対応を確認できるようになり、使い終わった超音波探触子Ｐ１，Ｐ２，Ｐ３を対応する筒Ｔ１，Ｔ２，Ｔ３に正確に戻せるようになる。
(3) ケーブル保持器２００によってケーブルＫ１，Ｋ２，Ｋ３を個別に分けて保持するから、この点でもケーブルＫ１，Ｋ２，Ｋ３が絡むことを防止できる。
(4) ケーブル同士が絡まないように超音波探触子Ｐ１，Ｐ２，Ｐ３を保持できるから、超音波探触子Ｐ１，Ｐ２，Ｐ３の取り出しや入れ置きの動作をスムーズに行うことが出来る。また、ケーブルＫ１，Ｋ２，Ｋ３が絡んで引き出せなくなり、超音波探触子Ｐ１，Ｐ２，Ｐ３が被検体に届かなくなるといった事態を回避できる。また、ケーブルＫ１，Ｋ２，Ｋ３の絡みを解くための余分な作業をなくすことが出来る。
【００１９】
−第２の実施形態−
図８は、本発明の第２の実施形態の超音波探触子保持装置の斜視図である。
この超音波探触子保持装置１００’は、固定側部材１０１０と、装着側部材１０５０とからなる。
前記固定側部材１０１０は、超音波診断装置本体１１に設置され、図３および図４に示す超音波探触子保持装置１００のケーブルフック１２０が立設された壁面を独立させた如き構造であり、係止用突起１０２と、ケーブルＫ１，Ｋ２，Ｋ３を入れる凹部１０１１，１０１２，１０１３とを有している。
前記装着側部材１０５０は、前記固定側部材１０１０に装着され、図３および図４に示す超音波探触子保持装置１００のケーブルフック１２０を除去した如き構造であり、前記固定側部材１０１０の係止用突起１０２に係止される係止用凹部（図示省略）を有している。
【００２０】
図９は、超音波探触子Ｐ１，Ｐ２，Ｐ３を超音波探触子保持装置１００’に保持させた状態の説明図である。
操作者は、装着側部材１０５０を外しておいて、ケーブルＫ１，Ｋ２，Ｋ３を、固定側部材１０１０の凹部１０１１，１０１２，１０１３に通してケーブルフック１２０にそれぞれ掛ける。次いで、固定側部材１０１０に装着側部材１０５０を取り付ける。次いで、ケーブルＫ１，Ｋ２，Ｋ３を、スリット１０１および導入溝１１２を通して保持孔１１３に入れ、さらに収容溝１１４に押し込み、下へ垂らす。そして、超音波探触子Ｐ１，Ｐ２，Ｐ３のケーブル側端部を保持孔１１４に差し込んで保持させる。
【００２１】
上記超音波探触子保持装置１００’を用いれば、ケーブルＫ１，Ｋ２，Ｋ３の一部が固定側部材１０１０と装着側部材１０５０の間に挟まれて外れないため、各筒Ｔ１，Ｔ２，Ｔ３と超音波探触子Ｐ１，Ｐ２，Ｐ３の対応を確認できるようになり、使い終わった超音波探触子Ｐ１，Ｐ２，Ｐ３を対応する筒Ｔ１，Ｔ２，Ｔ３に正確に戻せるようになる。
【００２２】
−他の実施形態−
（１）図１０に示すように、１本の針金を成形したケーブルフック１２０’を用いて、構造を簡単化してもよい。
（２）図１１および図１２に示すように、鍵形の収容溝１１４’，１１４”を設けて、ケーブルＫ１，Ｋ２，Ｋ３が収容溝１１４’，１１４”から出にくいようにしてもよい。
（３）図１３に示すように、超音波診断装置本体１１に埋設される軸受部２０６と、回転軸２０７と、分離板２０８とからなるケーブル保持器２００’を用いて、回転軸２０７の回転によりケーブルＫ１，Ｋ２，Ｋ３をスムーズに送り出せると共に分離板２０８によりケーブルＫ１，Ｋ２，Ｋ３を分離・保持するようにしてもよい。
【００２３】
【発明の効果】
本発明の超音波探触子保持装置によれば、各筒に超音波探触子を入れる時、操作者に超音波探触子のケーブルを収容溝に押し込む操作をさせるから、超音波探触子のケーブル同士が絡まないように自然に気を付けさせることができる。よって、結果的に、ケーブル同士が絡まないように複数の超音波探触子を保持できることとなる。
【００２４】
本発明の超音波診断装置によれば、上記超音波探触子保持装置により超音波探触子のケーブル同士が絡まないように複数の超音波探触子を保持できるから、超音波探触子の取り出しや入れ置きの動作をスムーズに行うことが出来る。また、超音波探触子のケーブルが絡んで引き出せなくなり、超音波探触子が被検体に届かなくなるといった事態を回避できる。また、超音波探触子のケーブルの絡みを解くための余分な作業をなくすことが出来る。
【図面の簡単な説明】
【図１】本発明の第１の実施形態にかかる超音波診断装置の右側面図である。
【図２】本発明の第１の実施形態にかかる超音波診断装置の正面図である。
【図３】本発明の第１の実施形態にかかる超音波探触子保持装置の上面斜視図である。
【図４】本発明の第１の実施形態にかかる超音波探触子保持装置の下面斜視図である。
【図５】本発明の第１の実施形態にかかるケーブル保持器の斜視図である。
【図６】本発明の第１の実施形態にかかる超音波探触子保持装置の一部破断側面図である。
【図７】本発明の第１の実施形態にかかる超音波探触子保持装置の一部破断前面図である。
【図８】本発明の第２の実施形態にかかる超音波探触子保持装置の上面斜視図である。
【図９】本発明の第２の実施形態にかかる超音波探触子保持装置の一部破断側面図である。
【図１０】本発明の他の実施形態にかかる超音波探触子保持装置の上面斜視図である。
【図１１】本発明の他の実施形態にかかる超音波探触子保持装置の部分底面図である。
【図１２】本発明のさらに他の実施形態にかかる超音波探触子保持装置の部分底面図である。
【図１３】本発明の他の実施形態にかかるケーブル保持器の斜視図である。
【図１４】従来の超音波診断装置の一例の右側面図である。
【図１５】従来の超音波診断装置の一例の正面図である。
【図１６】従来の超音波探触子保持装置の一例の上面斜視図である。
【図１７】従来の超音波探触子保持装置の一例の下面斜視図である。
【図１８】従来の超音波診断装置の一例の課題の説明図である。
【符号の説明】
１０                超音波診断装置
１１                超音波診断装置本体
１００，１００’    超音波探触子保持装置
１０１              スリット
１１０              底面
１１２              導入溝
１１３              保持孔
１１４              収容溝
１２０              ケーブルフック
２００，２００’    ケーブル保持器
Ｐ１，Ｐ２，Ｐ３    超音波探触子
Ｋ１，Ｋ２，Ｋ３    ケーブル
Ｔ１，Ｔ２，Ｔ３    筒
５００              従来の超音波診断装置
【図１】
0004058171.tif 000002
【図２】
0004058171.tif 000003
【図３】
0004058171.tif 000004
【図４】
0004058171.tif 000005
【図５】
0004058171.tif 000006
【図６】
0004058171.tif 000007
【図７】
0004058171.tif 000008
【図８】
0004058171.tif 000009
【図９】
0004058171.tif 000010
【図１０】
0004058171.tif 000011
【図１１】
0004058171.tif 000012
【図１２】
0004058171.tif 000013
【図１３】
0004058171.tif 000014
【図１４】
0004058171.tif 000015
【図１５】
0004058171.tif 000016
【図１６】
0004058171.tif 000017
【図１７】
0004058171.tif 000018
【図１８】
0004058171.tif 000019